【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
用紙を揃えた状態で重ね合わせた用紙束として積載する積載手段と、
積載手段上の用紙束を夫々第１綴処理により第１用紙束として綴じる第１綴手段及び、第２綴処理により第２用紙束として綴じる第２綴じ手段と、
第１用紙束を搬送する際には前記積載手段から第１経路に向けて搬送し、第２用紙束を搬送する際には当該積載手段から当該第１経路とは逆方向の第２経路に向けて搬送する搬送手段とを備えたことを特徴とする用紙処理装置。
【請求項２】
用紙を揃えた状態で重ね合わせた用紙束として積載する積載手段と、
前記積載手段に積載された前記用紙束を第１の綴じ処理により第１の用紙束として綴じる第１の綴じ手段と、
前記積載手段に積載された前記用紙束を第２の綴じ処理により第２の用紙束として綴じる第２の綴じ手段と、
前記第１の用紙束を搬送する際には前記積載手段から第１経路に向けて搬送し、かつ前記第２の用紙束を搬送する際には当該積載手段から当該第１経路とは逆方向の第２経路に向けて搬送する搬送手段と、
前記第２経路に配置され、前記第２の用紙束の上面側と下面側とを反転させて搬送する反転搬送手段と、
前記第１経路に配置され、前記搬送手段によって搬送された前記第１の用紙束を配置させる第１の搬送束積載手段と、
前記第２経路に配置され、前記反転搬送手段によって反転搬送された前記第２の用紙束を配置させる第２の搬送束積載手段と
を備えたことを特徴とする用紙処理装置。
【請求項３】
前記第２の用紙束が前記積載手段から前記第２経路へ搬送されることを妨げ、かつ前記第２の用紙束の搬送方向先端側となる端部と接して配置され当該端部を揃える端部揃え部を備え、
前記端部揃え部が、前記第２の用紙束を前記積載手段から前記第２経路に搬送する際に、当該第２の用紙束が搬送されることを妨げない位置に移動することを特徴とする請求項２記載の用紙処理装置。
【請求項４】
前記第２の綴じ手段は、前記用紙束の一部を変形させ、当該用紙束の各用紙における変形された箇所どうしが掛かり合うことによって、当該用紙束を綴じることを特徴とする請求項２または３記載の用紙処理装置。
【請求項５】
前記第２の搬送束積載手段に配置された前記第２の用紙束は、前記変形された箇所である突出部が当該第２の用紙束の下面側となることを特徴とする請求項４記載の用紙処理装置。
【請求項６】
前記第２の綴じ手段は、
前記用紙束に切り込みを形成する切込部と、
前記用紙束の一部を特定の形に切ることにより、一方の端部が当該用紙束と連続する部分を残す舌部を当該用紙束に形成する舌部形成部と、
前記舌部を折り当該舌部の他方の端部を前記切り込みに挿入する切込挿入部と
を有することを特徴とする請求項２乃至５のいずれか１項記載の用紙処理装置。
【請求項７】
前記第２の搬送束積載手段に配置された前記第２の用紙束は、前記切り込みに挿入された前記他方の端部が当該第２の用紙束の下面側となることを特徴とする請求項６記載の用紙処理装置。
【請求項８】
前記第１の綴じ手段は、ステープル針を用いて前記用紙束を綴じることを特徴とする請求項２乃至７のいずれか１項記載の用紙処理装置。
【請求項９】
請求項１乃至８のいずれか１項記載の用紙処理装置と、
用紙に画像を形成して前記用紙処理装置に向けて供給する画像形成装置と
を含むことを特徴とする画像形成システム。
【手続補正２】
【補正対象書類名】明細書
【補正対象項目名】０００５
【補正方法】変更
【補正の内容】
【０００５】
請求項１記載の発明は、用紙を揃えた状態で重ね合わせた用紙束として積載する積載手段と、積載手段上の用紙束を夫々第１綴処理により第１用紙束として綴じる第１綴手段及び、第２綴処理により第２用紙束として綴じる第２綴じ手段と、第１用紙束を搬送する際には前記積載手段から第１経路に向けて搬送し、第２用紙束を搬送する際には当該積載手段から当該第１経路とは逆方向の第２経路に向けて搬送する搬送手段とを備えたことを特徴とする用紙処理装置である。
請求項２記載の発明は、用紙を揃えた状態で重ね合わせた用紙束として積載する積載手段と、前記積載手段に積載された前記用紙束を第１の綴じ処理により第１の用紙束として綴じる第１の綴じ手段と、前記積載手段に積載された前記用紙束を第２の綴じ処理により第２の用紙束として綴じる第２の綴じ手段と、前記第１の用紙束を搬送する際には前記積載手段から第１経路に向けて搬送し、かつ前記第２の用紙束を搬送する際には当該積載手段から当該第１経路とは逆方向の第２経路に向けて搬送する搬送手段と、前記第２経路に配置され、前記第２の用紙束の上面側と下面側とを反転させて搬送する反転搬送手段と、前記第１経路に配置され、前記搬送手段によって搬送された前記第１の用紙束を配置させる第１の搬送束積載手段と、前記第２経路に配置され、前記反転搬送手段によって反転搬送された前記第２の用紙束を配置させる第２の搬送束積載手段とを備えたことを特徴とする用紙処理装置である。
請求項３記載の発明は、前記第２の用紙束が前記積載手段から前記第２経路へ搬送されることを妨げ、かつ前記第２の用紙束の搬送方向先端側となる端部と接して配置され当該端部を揃える端部揃え部を備え、前記端部揃え部が、前記第２の用紙束を前記積載手段から前記第２経路に搬送する際に、当該第２の用紙束が搬送されることを妨げない位置に移動することを特徴とする請求項２記載の用紙処理装置である。
請求項４記載の発明は、前記第２の綴じ手段は、前記用紙束の一部を変形させ、当該用紙束の各用紙における変形された箇所どうしが掛かり合うことによって、当該用紙束を綴じることを特徴とする請求項２または３記載の用紙処理装置である。
【手続補正３】
【補正対象書類名】明細書
【補正対象項目名】０００６
【補正方法】変更
【補正の内容】
【０００６】
請求項５記載の発明は、前記第２の搬送束積載手段に配置された前記第２の用紙束は、前記変形された箇所である突出部が当該第２の用紙束の下面側となることを特徴とする請求項４記載の用紙処理装置である。
請求項６記載の発明は、前記第２の綴じ手段は、前記用紙束に切り込みを形成する切込部と、前記用紙束の一部を特定の形に切ることにより、一方の端部が当該用紙束と連続する部分を残す舌部を当該用紙束に形成する舌部形成部と、前記舌部を折り当該舌部の他方の端部を前記切り込みに挿入する切込挿入部とを有することを特徴とする請求項２乃至５のいずれか１項記載の用紙処理装置である。
請求項７記載の発明は、前記第２の搬送束積載手段に配置された前記第２の用紙束は、前記切り込みに挿入された前記他方の端部が当該第２の用紙束の下面側となることを特徴とする請求項６記載の用紙処理装置である。
請求項８記載の発明は、前記第１の綴じ手段は、ステープル針を用いて前記用紙束を綴じることを特徴とする請求項２乃至７のいずれか１項記載の用紙処理装置である。
請求項９記載の発明は、請求項１乃至８のいずれか１項記載の用紙処理装置と、用紙に画像を形成して前記用紙処理装置に向けて供給する画像形成装置とを含むことを特徴とする画像形成システムである。
【手続補正４】
【補正対象書類名】明細書
【補正対象項目名】０００７
【補正方法】変更
【補正の内容】
【０００７】
請求項１記載の発明によれば、本構成を有しない場合に比較して、複数の綴じ処理によって用紙束を綴じ得る用紙処理装置において、用紙束が搬送される際に用紙束の綴じられた部分が受ける損傷を抑制することができる。
請求項２記載の発明によれば、本構成を有しない場合に比較して、複数の綴じ処理によって用紙束を綴じ得る用紙処理装置において、用紙束が搬送される際に用紙束の綴じられた部分が受ける損傷を抑制することができる。
請求項３記載の発明によれば、本構成を有しない場合に比較して、用紙の端部をより確実に揃えることができる。
請求項４記載の発明によれば、本構成を有しない場合に比較して、用紙以外の部材を用いることなく用紙束に綴じ処理を施すことができる。
請求項５記載の発明によれば、本構成を有しない場合に比較して、用紙束が搬送される際に用紙束の綴じられた部分が受ける損傷をより抑制することができる。
請求項６記載の発明によれば、本構成を有しない場合に比較して、用紙以外の部材を用いることなく用紙の積載方向に圧力が加えられた際にも、用紙以外の部材を用いることなく綴じ力を維持することができる。
請求項７記載の発明によれば、本構成を有しない場合に比較して、用紙束が搬送される際に用紙束の綴じられた部分が受ける損傷をより抑制することができる。
請求項８記載の発明によれば、本構成を有しない場合に比較して、より強い綴じ力で綴じを施すことができる。
請求項９記載の発明によれば、本構成を有しない場合に比較して、複数の綴じ処理によって用紙束を綴じ得る画像形成システムにおいて、用紙束が搬送される際に用紙束の綴じられた部分が受ける損傷を抑制することができる。